(57)【要約】【課題】充電器の電池切れの心配が無く、さらに、使用に便利で実用性に優れる携帯電話機の充電セットの提供。【解決手段】携帯電話機Ｔの充電用の蓄電池４が納められるともに自身への充電用の接続端子部１３を備え、さらに携帯電話機Ｔへの充電用コード５が付設された第１の充電器１と、充電用コード端５に着脱可能に装着使用される携帯電話機Ｔへの接続用具２と、第１の充電器１の接続端子部１３及び接続用具２と接続可能な接続端子部２５を備えた充電用コード２６が付設され電源側に接続使用される第２の充電器８とからなることを特徴とする携帯電話機の充電セット。【選択図】図１
0003125208.tif 000002
【実用新案登録請求の範囲】
【請求項１】
携帯電話機の充電用の蓄電池が納められるともに自身への充電用の接続端子部を備え、さらに携帯電話機への充電用コードが付設された第１の充電器と、
前記充電用コード端に着脱可能に装着使用される携帯電話機への接続用具と、
前記第１の充電器の接続端子部及び前記接続用具と接続可能な接続端子部を備えた充電用コードが付設され電源側に接続使用される第２の充電器と、
からなることを特徴とする携帯電話機の充電セット。
【考案の詳細な説明】
【技術分野】
【０００１】  この考案は、携帯電話機の充電セットに関する。
【背景技術】
【０００２】  携帯電話機は電池が切れることがないように適宜充電を行なう必要がある。この充電は通常使用しない夜間等の時間帯において行なうが、携帯電話機を常時使う場合や、使用頻度が高い場合は使用と並行しながら充電を行なう必要が有り、その際には電池を内蔵してそれ自身も携帯が可能な充電器が使用される。
【考案の開示】
【０００３】  しかしながらそのような充電器の場合は、それ自身が電池切れする恐れが有り、その場合には携帯電話機の充電が行うことができず、また、電池の取り替えに手間がかった。
【考案が解決しようとする課題】
【０００４】  この考案では、充電器の電池切れの心配が無く、さらに、使用に便利で実用性に優れる携帯電話機の充電セットを提供する。
【課題を解決するための手段】
【０００５】  この考案では、携帯電話機の充電用の蓄電池が納められるともに自身への充電用の接続端子部を備え、さらに携帯電話機への充電用コードが付設された第１の充電器と、前記充電用コード端に着脱可能に装着使用される携帯電話機への接続用具と、前記第１の充電器の接続端子部及び前記接続用具と接続可能な接続端子部を備えた充電用コードが付設され電源側に接続使用される第２の充電器と、からなることを特徴とする携帯電話機の充電セットを提供する。
【０００６】  上記構成によれば、第１の充電器の蓄電池が充電されることで第１の充電器を電池を取り替えることなく携帯電話機の充電に安定して継続使用できる。また、第２の充電器の充電用コードの接続端子部に接続具を装着することで、その接続具を携帯電話機に接続して第２の充電器により直接に携帯電話機の充電を行える。
【考案の効果】
【０００７】  この考案によれば、第１の充電器を使用して携帯電話機の充電が常に安定して行われる。くわえて、第２の充電器を使用して携帯電話機を直接に充電することも可能で、無駄の無い構成で実用上優れる。
【考案を実施するための最良の形態】
【０００８】  図１はこの考案の携帯電話機の充電セットの実施形態の外観斜視図である。【０００９】  充電セットＳは、携帯電話機Ｔを充電するための第１の充電器１と、携帯電話機Ｔへの接続用具２、電源側に接続使用される第２の充電器８とからなる。【００１０】  第１の充電器１において３は外装体としての樹脂製のケーシングであり、ケーシング３はケーシング片３ａとケーシング片３ｂとが一体に組み合わされて構成される。ケーシング片３ａの一方側内には２本の充電用蓄電池４が電気的に直列となるように装着され、他方側内には配線基板６の裏側側に位置してコードリール７が装着されている。コードリール７には充電用コード５が巻き取り状態に装着され、コードリール７はその回転軸方向を配線基板６面に垂直とするように設けられている。【００１１】  また、コードリール７はバネ力により常にコード５を巻き取る方向（矢印Ａ）に回転するように付勢されるとともに、その付勢力に抗して引き出されたコード５をその位置に固定するロック機能を備え、１０はそのロックを解除するスイッチボタンである。このコードリール７の巻き取り、ロック、ロック解除の構成は、従来掃除機の巻き取り式コード等に採用される機構と同様の機構が採用されることで実現される。【００１２】  コード５の一端側は充電回路素子の配置された配線基板６の表面側を介して蓄電池４側に電気的に接続され、他端側は携帯電話機Ｔへの接続端子部１１とされている。また、１３は第１の充電器１の蓄電池４自身の充電用の接続端子部であり、配線基板６を介して蓄電池４側に電気的に接続されている。【００１３】  上記構成のケーシング片３ａ、ケーシング片３ｂが組み付けされることで第１の充電器１は一体に構成される。この組み合わされた状態においてケーシング３の１つの角位置にコードの取り出し開口１４が形成される。【００１４】  接続用具２は上記コード５の接続端子部１１に着脱可能に装着使用されるもので、使用する携帯電話機Ｔの接続端子に対応する端子形態を備え、適宜選択使用されものである。第１の充電器１の非使用時には、コード５の接続端子部１１に一体に装着された接続用具１２が上記取り出し開口１４内に見栄え良く納まるようになっている。【００１５】  第２の充電器８は、充電回路が内蔵されるとともに自動車のシガーライタソケットに嵌入接続されるプラグ部２０が一体に設けられた本体２１に、上記第１の充電器１の接続端子部１３及び上記接続用具２と接続可能な接続端子部２５を備えた充電用コード２６が付設されて構成されている。【００１６】  上記充電セットＳは、１個の第１の充電器１と、市販される携帯電話機に対応する形態の複数個の接続具２と、１個の第２の充電器８とがセットとして販売される。第２の充電器８は家庭のコンセントに接続可能なものであってもよい。【００１７】  図３はこの充電セットＳの携帯電話機Ｔへの充電使用状態を示す。使用する際にはコード５の接続端子部１１に予め携帯電話機Ｔに対応する接続具２を装着しておき、接続具２を取り出し開口１４内から取り出してコード５を少し引き出し携帯電話機Ｔに接続する。そのような充電中において携帯電話機Ｔを使用して通話する場合は、さらにコード５を引き出すこ���で、例えば、第１の充電器１はポケットに入れた状態において携帯電話機Ｔのみを持って通常時と同様に通話を行なうことが可能となる。充電完了後は接続具２を携帯電話機Ｔから外してスイッチボタン１０を押すことでコード５は自動的に巻き取られ、接続具２は取り出し開口１４内に納まる。第１の充電器１の蓄電池４の充電は、第２の充電器８のプラグを自動車のシガーライタソケットに接続した状態において、そのコード２６端の接続端子部２５を第１の充電器１の接続端子部１３に接続することで行う。【００１８】  図４は第２の充電器８を使用して携帯電話機Ｔを直接充電する状態を示す。その際には第２の充電器８のプラグ２０を自動車のシガーライタソケットに接続した状態において、そのコード２６の接続端子部２５に接続具２を装着し、その接続具２を携帯電話機Ｔに接続して行う。携帯電話機Ｔは通常その販売に際して、家庭電源による充電器が各メーカーに対応する形態において併せ提供されるが、自動車電源による充電器は提供されず必要な場合に別途購入している。この実施形態のように接続具２が自動車電源対応の第２の充電器８の接続端子部２５に装着使用されるようにすることで、第１の充電器１の充電に使用される第２充電器８が携帯電話機Ｔの充電にも兼用可能となり実用上無駄が無い。
【図面の簡単な説明】
【図１】  この考案の携帯電話機の充電セットの実施形態の外観斜視図
【図２】  この考案の携帯電話機の充電セットの第１の充電器の開き状態の斜視図
【図３】  この考案の携帯電話機の充電セットの実施形態の使用状態斜視図
【図４】  この考案の携帯電話機の充電セットの実施形態の使用状態斜視図
【符号の説明】
Ｓ  携帯電話機の充電セット
Ｔ  携帯電話機
１  第１の充電器
２  接続用具
４  蓄電也
５  充電用コード
８  第２の充電器
１３  接続端子部
２５  接続端子部
２６  充電用コード
【図１】
0003125208.tif 000003
【図２】
0003125208.tif 000004
【図３】
0003125208.tif 000005
【図４】
0003125208.tif 000006